(57)【要約】【課題】  ドリッパーに注湯する際に、転倒する危惧がなく、安心して注湯することができて所望の飲料を得ることができるドリッパーを提供することである。【解決手段】  両側端に折曲部を有する略矩形状の筒状紙体と、濾過機能を有する袋体とからなり、前記筒状紙体は前記両折曲部に折込部と、一方の開口縁の略中央部に対向する一対の中央係合突片および両側端部に側端係合突片とを備え、前記袋体は開口縁の略中央部に対向する一対の突出片を備え、前記筒状紙体に前記袋体を挿入して前記袋体の前記突出片を前記筒状紙体の他方の開口縁の略中央部で外側に折り曲げて前記筒状紙体の外面で貼着したドリッパーにおいて、前記一対の中央係合突片に前記一方の開口縁側に凸状となる略コの字状切目が設けられていることを特徴とするドリッパー。【選択図】        図１
2006158683.tif 000002
【特許請求の範囲】
【請求項１】
両側端に折曲部を有する略矩形状の筒状紙体と、濾過機能を有する袋体とからなり、前記筒状紙体は前記両折曲部に折込部と、一方の開口縁の略中央部に対向する一対の中央係合突片および両側端部に側端係合突片とを備え、前記袋体は開口縁の略中央部に対向する一対の突出片を備え、前記筒状紙体に前記袋体を挿入して前記袋体の前記突出片を前記筒状紙体の他方の開口縁の略中央部で外側に折り曲げて前記筒状紙体の外面で貼着したドリッパーにおいて、前記一対の中央係合突片に前記一方の開口縁側に凸状となる略コの字状切目が設けられていることを特徴とするドリッパー。
【請求項２】
前記略コの字状切目の対向する位置にある切目に連接して前記両側端側に切抜き部が設けられていることを特徴とする請求項１記載のドリッパー。
【請求項３】
前記略コの字状切目にその両端部を繋ぐ折罫が設けられていることを特徴とする請求項１、２のいずれかに記載のドリッパー。
【発明の詳細な説明】
【技術分野】
【０００１】
本発明は、レギュラーコーヒー粉、紅茶や緑茶の葉等の被抽出成分を有する内容物を漉す時に使用する使い捨てタイプのドリッパーに関する。
【背景技術】
【０００２】
従来から、レギュラーコーヒー、紅茶、緑茶等を愛飲する際に、缶や瓶あるいは包装袋に収納されたレギュラーコーヒー粉、紅茶や緑茶の葉等の被抽出成分を有する内容物を漉すために、漉し器の準備や洗浄等の手間が不要であって、使い勝手がよいといった理由から、使い捨てタイプのドリッパーが市販されている。
【０００３】
この種のドリッパーは、いずれも折り畳み可能な紙製の器板の内部に漏斗状フィルターを取り付けた構成からなるものであって、折り畳まれた紙製の器板を起立させると共に、折り畳まれた紙製の器板に設けられた突片あるいは切込や切欠部を利用してカップ壁面にドリッパーを載置固定して、缶や瓶あるいは包装袋に収納されたレギュラーコーヒー粉、紅茶や緑茶の葉等の被抽出成分を有する内容物を漏斗状フィルター内に充填し、熱湯を漏斗状フィルター内に注湯することにより、カップ内にレギュラーコーヒーや紅茶、緑茶等を得ることができるようになっている。この種の使い捨てタイプのドリッパーは、漉し器の準備や洗浄等の手間が不要であり、また、使い勝手が良いなどの理由から独身者や単身赴任者などの使用者に好んで用いられている。
【０００４】
そこで、本発明者等は、先に、簡単に起立させてカップに安定した状態で載置固定して濾過することができるドリッパーを提案した（たとえば、特許文献１参照）。このドリッパーは、特許文献１の第８図に示されているようにカップ壁面上に載置固定し、レギュラーコーヒー粉等の被抽出成分を有する内容物が収容された漏斗状フィルター内に熱湯を注湯することにより、カップ内にレギュラーコーヒーを得るものであるが、熱湯を漏斗状フィルター内に注湯する際、あるいは、注湯中において、熱湯の注ぎ方によってはドリッパーが両折曲部を結ぶ方向に直交する方向に転倒する虞が危惧されるために、この危惧の解決を図ることにした。
【特許文献１】特開２００４−１３０１０４号公報
【発明の開示】
【発明が解決しようとする課題】
【０００５】
そこで本発明は、上記のような問題点に鑑みてなされたものであって、その目的とするところは、ドリッパーに注湯する際に、転倒する危惧がなく、安心して注湯することができて所望の飲料を得ることができるドリッパーを提供することである。
【課題を解決するための手段】
【０００６】
本発明者等は、上記課題を達成するために、請求項１記載の本発明は、両側端に折曲部を有する略矩形状の筒状紙体と、濾過機能を有する袋体とからなり、前記筒状紙体は前記両折曲部に折込部と、一方の開口縁の略中央部に対向する一対の中央係合突片および両側端部に側端係合突片とを備え、前記袋体は開口縁の略中央部に対向する一対の突出片を備え、前記筒状紙体に前記袋体を挿入して前記袋体の前記突出片を前記筒状紙体の他方の開口縁の略中央部で外側に折り曲げて前記筒状紙体の外面で貼着したドリッパーにおいて、前記一対の中央係合突片に前記一方の開口縁側に凸状となる略コの字状切目が設けられていることを特徴とするものである。
【０００７】
また、請求項２記載の本発明は、請求項１記載のドリッパーにおいて、前記略コの字状切目の対向する位置にある切目に連接して前記両側端側に切抜き部が設けられていることを特徴とするものである。
【０００８】
また、請求項３記載の本発明は、請求項１、２のいずれかに記載のドリッパーにおいて、前記略コの字状切目にその両端部を繋ぐ折罫が設けられていることを特徴とするものである。
【発明の効果】
【０００９】
本発明のドリッパーは、中央係合突片に略コの字状切目を設けたことにより、中央係合突片を略コの字状切目で囲まれた領域とこれ以外の領域とに分割することができるために、略コの字状切目にカップ壁面を挟み込むことができ、これにより注湯時に転倒する虞の殆どないドリッパーとすることができる。
【発明を実施するための最良の形態】
【００１０】
上記の本発明について、図面等を用いて以下に詳しく説明する。
図１は本発明にかかるドリッパーの一実施例を示す透視平面図、図２は図１に示すドリッパーに用いる筒状紙体の展開図、図３は本発明にかかるドリッパーに用いる袋体の一実施例を示す図、図４は本発明にかかるドリッパーの他の実施例を示す透視平面図、図５は図４の図２に対応する展開図、図６は本発明にかかるドリッパーのさらに他の実施例を示す透視平面図、図７は図４に示すドリッパーの使用方法を説明する図であり、図中の１，１’，１”はドリッパー、２，２００は筒状紙体、２’，２００’は筒状紙体のブランク板、３は袋体、２０，２０’は切抜き部、２１，２１’は折込部、２２，２２’は突出フラップ、２３，２３’，２３０，２３０’は中央係合突片、２４は側端係合突片、２５は略コの字状切目、２６，２７，２６３，２７３，２５０は折罫、２８は切欠部、２９，２９’は略矩形状切抜き部、３０は突出片、３２は熱接着部、３３は折部、２１０は前面板、２２０は背面主板、２２０’は背面補助板、２６１，２７１は略コの字状切線、２６２，２７２は略半円状の切欠部、２６４，２７４は円形状の切欠部、２６５，２７５は切線、αは筒状紙体の重ね部、βは折曲部、Ａ，Ｂは領域をそれぞれ示す。
【００１１】
以下に説明する実施形態においては、特許請求の範囲に記載した筒状紙体の開口縁の一方と他方を便宜上、入れ替えて説明している。
図１は本発明にかかるドリッパーの一実施例を示す透視平面図であって、ドリッパー１は両側端に折曲部βを有し、重ね部α（図１上、網点で示した箇所）で接着した両側端の前記折曲部βの略中央部に折込部２１，２１’と、一方の開口縁の略中央部に対向する一対の突出フラップ２２，２２’（図示せず）と、他方の開口縁の略中央部に対向する一対の中央係合突片２３，２３’（図示せず）および両側端部に側端係合突片２４とを備えた略矩形状の筒状紙体２に、濾過機能を有する底辺側（図１上の上側）が開口した略逆台形状の袋体３を挿入し、前記袋体３の開口縁の略中央部に設けた一対の突出片３０を前記筒状紙体２の前記突出フラップ２２，２２’（図示せず）に当接させて外側に折り曲げて前記筒状紙体２の外面に貼着したものであって、前記筒状紙体２の前記一対の中央係合突片２３，２３’（図示せず）には前記他方の開口縁側に凸状となる略コの字状切目２５が設けられ、この略コの字状切目２５により前記中央係合突片２３，２３’（図示せず）を前記略コの字状切目２４で囲まれた領域Ａと該領域Ａの外側を構成する領域Ｂとに区分している。また、前記筒状紙体２の対向する面に、ドリップした際のカップ内に流下する抽出液の液面を確認することができるように切抜き部２０，２０’（図示せず）が設けられている。
【００１２】
次に、本発明のドリッパー１を構成する筒状紙体２と濾過機能を有する袋体３について説明する。最初に筒状紙体２について説明する。図２は図１に示すドリッパーに用いる筒状紙体の展開図であって、筒状紙体２は背面補助板２２０’、前面板２１０、背面主板２２０が折罫２６，２７を介して順次連接し、前記前面板２１０の中央部および前記背面主板２２０の略中央部に略逆台形状の切抜き部２０’，２０が形成されている。そして、前記折罫２６，２７と直交する上端縁（図２上、上側端縁）の前記前面板２１０の中央部および前記背面主板２２０の略中央部に突出したアール状の両肩部を有する突出フラップ２２’，２２が形成され、前記折罫２６，２７と直交する下端縁の前記前面板２１０の中央部および前記背面主板２２０の略中央部に突出した中央係合突片２３’，２３と前記折罫２６，２７と直交する下端縁(図２上、下側端縁)に前記折罫２６、２７の延長線に対してそれぞれ線対称に突出した側縁係合突片２４が形成され（この中央係合突片２３’，２３と側端係合突片２４により必然的に切欠部２８が形成され）、さらに前記中央係合突片２３’，２３に下端縁（図２上、下側端縁）側に凸状となる略コの字状切目２５が形成され、さらに前記折罫２６，２７のそれぞれの略中央部に前記折罫２６，２７に対して線対称となる略コの字状切線２６１，２７１が形成され、前記切線２６１，２７１に連接して上端縁側に前記折罫２６、２７に対して線対称となるように略半円状の切欠部２６２，２７２が形成され、かつ、前記切線２６１，２７１のそれぞれの両端部から下端縁側に延びて前記折罫２６，２７にそれぞれ交わる前記折罫２６，２７に対して線対称な折罫２６３，２６３および２７３，２７３が形成されると共に前記折罫２６と前記折罫２６３，２６３の交点（図示せず）および前記折罫２７と前記折罫２７３，２７３の交点（図示せず）をそれぞれ中心とする円形状の切欠部２６４，２７４が形成され、さらに前記折罫２６３，２６３および前記折罫２７３，２７３に前記切欠部２６４，２７４から一定距離延びる切線２６５，２７５が形成されたブランク板２’から構成され、該ブランク板２’を最初に前記前面板２１０上に前記背面主板２２０を前記折罫２７で山折りして折り重ね、次に前記背面主板２２０上に前記背面補助板２２０’を前記折罫２６で山折りして折り重ねると共に前記背面主板２２０と前記背面補助板２２０’との重ね部α（図１参照）を接着剤等により接着することにより筒状紙体２を得ることができる。前記ブランク板２’は周知の打抜機で容易に製造することができる。
【００１３】
また、図２から明らかなように、図１に示した折込部２１は前記折込部２１は前記切線２６１と前記略半円状の切欠部２６２と前記切線２６５を一部に有する前記折罫２６３、２６３と前記円形状の切欠部２６４および前記切線２６１と前記円形状の切欠部２６４との間の前記折罫２６で形成されるように構成されると共に前記折込部２１’は前記切線２７１と前記略半円状の切欠部２７２と前記切線２７５を一部に有する前記折罫２７３、２７３と前記円形状の切欠部２７４および前記切線２７１と前記円形状の切欠部２７４との間の前記折罫２７で形成されるように構成されている。前記筒状紙体２を形成する材料としては、たとえば、２００〜３４０ｇ／ｍ2の耐水カード紙、アイボリー紙などの厚紙が適当である。
【００１４】
次に、袋体３について説明する。
本発明に用いる袋体３としては、濾過機能を有する素材であれば特に限定するものではなく、袋体とする際の加工性を考慮すると素材そのもの自体が熱接着性を有するもの、あるいは、最内層が熱接着性を有するものが好ましい。たとえば、ポリエチレンやポリプロピレン等のオレフィン系ないしエステル系等の透水性を有する不織布、あるいは、最内層にポリエチレンやポリプロピレン等のオレフィン系ないしエステル系等の熱可塑性樹脂を含有している層を有する２ないし３層構成からなる濾紙等を例示することができる。
【００１５】
前記袋体３の製造方法としては、熱接着性を有するロール状の長尺シート、たとえば、最内層に変性ポリプロピレンを含有している３層構成からなる濾紙を長手方向と平行に２つ折りして折部３３を形成するなり、あるいは、前記折部３３をＷ折り（ガセット折り）するなりして重ね合わせ、所定箇所を熱接着して熱接着部３２となる箇所を形成し、その後に断裁、および／ないし、打抜きすることにより製造することができる。図３は本発明にかかるドリッパーに用いる袋体の一実施例を示す図であって、図３（ａ）は平面図、図３（ｂ）は図３（ａ）のＸ−Ｘ線断面図である。この袋体３は折部３３がＷ折り（ガセット折り）に形成されたものであって、折部３３が２つ折りに形成されたもの（図示せず）と比べて、レギュラーコーヒー粉、紅茶や緑茶の葉等の被抽出成分を有する内容物の収容量を多くすることができると共に袋体３内に熱湯等を注ぐと袋体３の底部が完全に開くために効率よく抽出液を得ることができる。
【００１６】
前記筒状紙体２への前記袋体３の組付けは、前記筒状紙体２に前記袋体３を挿入して前記袋体３の開口縁の略中央部に設けた一対の突出片３０を前記筒状紙体２の一方の開口縁の略中央部に設けた対向する一対の突出フラップ２２、２２’に当接させて外側に折り曲げて前記筒状紙体２の外面に貼着することにより図１に示すドリッパー１とすることができる。
【００１７】
なお、前記袋体３の突出片３０を前記筒状紙体２に貼着する個所は、図１においての前記筒状紙体２の一方の開口縁側（図１上の上縁側）の略中央部とすることが望ましく、これは使用時に前記筒状紙体２を筒状に起立させた際に、前記筒状紙体２の上縁側で前記袋体３の前記突出片３０が貼着されていることで、前記袋体３の両側面が持ち上がり、前記袋体３の大きく確実な開口が保証され、注湯や抽出に適するためである。なお、前記筒状紙体２と前記袋体３の前記突出片３０との貼着は、ホットメルト型、溶剤型、水性型、反応型、感圧型等の接着剤から適宜選択して用いることができる。また、前記ブランク板２’の前記背面主板２２０と前記背面補助板２２０’との重ね部α（図１参照）を接着する接着剤についても同様に上記した接着剤から適宜選択して用いることができる。
【００１８】
図４は本発明にかかるドリッパーの他の実施例を示す透視平面図、図５は図４の図２に対応する展開図であって、ドリッパー１’は図１に示したドリッパー１の前記筒状紙体２に設けた前記中央係合突片２３，２３’が幅広に構成された中央係合突片２３０，２３０’からなり、前記中央係合突片２３０，２３０’に他方の開口縁側に凸状となる略コの字状切目２５を設けると共に、前記略コの字状切目２５の対向する位置にある符号２５’で示す切目に連接して両側端側に略矩形状切抜き部２９，２９’を設けた筒状紙体２００およびこのブランク板２００’からなり、これ以外はドリッパー１と同じである。このように構成することにより、後述するようにカップ壁面に一層確実に載置固定することができ、注湯時にドリッパーの転倒をより確実に防止することができる。なお、図５は図２と同じ構成であるために細部の符号は省略して要部のみ符号を記載して示した。
【００１９】
図６は本発明にかかるドリッパーのさらに他の実施例を示す透視平面図であって、ドリッパー１”は図１に示したドリッパー１の前記筒状紙体２の前記中央係合突片２３、２３’に設けた前記略コの字状切目２５のそれぞれにその両端部を繋ぐ折罫２５０を設けたものであって、これ以外はドリッパー１と同じである。
【００２０】
なお、ドリッパー１、１’、１”において、前記切抜き部２０、２０’はドリップした際のカップ内に流下する抽出液の液面を確認することができるように設けたものであるが、必要不可欠なものではないし、また、前記切線２６５，２７５は前記折込部２１，２１’を折込み易くする手段として設けるものであり、必要不可欠なものではない。
【００２１】
次に、今まで説明してきた本発明のドリッパー１、１’、１”について、ドリッパー１’を用いて使用方法を説明する。まず、前記筒状紙体２００の折曲部βに設けた折込部２１，２１’を前記筒状紙体２００の内側に手指で折込んで前記筒状紙体２００を筒状に開口し、次に前記筒状紙体２００の中央係合突片２３０，２３０’の領域Ａと領域Ｂとを領域Ｂが外側となるように開いて後に、この領域Ａと領域Ｂとの間にカップ壁面を挿入してカップ壁面上にドリッパー１’を図６に示すように載置固定する。次に、袋体３内に開口部から適量のレギュラーコーヒー粉、紅茶や緑茶の葉等の被抽出成分を有する内容物（図示せず）をスプーン等で投入し、その後に袋体３の開口部から適当量の熱湯等を注ぐことにより、カップ内に所望の抽出液を流下させ、この抽出液を喫飲するものである。
【００２２】
なお、ドリッパー１”の使用方法はドリッパー１’と同じであるが、図示はしないがドリッパー１”の使用方法としては前記筒状紙体２の中央係合突片２３，２３’の領域Ａと領域Ｂとを領域Ａが外側となるように開いて領域Ａを折罫２５０で外側に折り、領域Ｂがカップ内に位置するようにカップ壁面上にドリッパー１”を載置固定するように構成されているものである。このようにすることによってもドリッパー１”を注湯時において転倒することを防止することができるものである。
【図面の簡単な説明】
【００２３】
【図１】本発明にかかるドリッパーの一実施例を示す透視平面図である。
【図２】図１に示すドリッパーに用いる筒状紙体の展開図である。
【図３】本発明にかかるドリッパーに用いる袋体の一実施例を示す図である。
【図４】本発明にかかるドリッパーの他の実施例を示す透視平面図である。
【図５】図４の図２に対応する展開図である。
【図６】本発明にかかるドリッパーのさらに他の実施例を示す透視平面図である。
【図７】図４に示すドリッパーの使用方法を説明する図である。
【符号の説明】
【００２４】
１，１’，１”                          ドリッパー、
２，２００                              筒状紙体
２’，２００’                          筒状紙体のブランク板
３                                      袋体
２０，２０’                            切抜き部
２１，２１’                            折込部
２２，２２’                            突出フラップ
２３，２３’，２３０，２３０’，２５０  中央係合突片
２４                                    側端係合突片
２５                                    略コの字状切目
２６，２７，２６３，２７３              折罫
２８                                    切欠部
２９，２９’                            略矩形状切抜き部
３０                                    突出片
３２                                    熱接着部
３３                                    折部
２１０                                  前面板
２２０                                  背面主板
２２０’                                背面補助板
２６１，２７１                          略コの字状切線
２６２，２７２                          略半円状の切欠部
２６４，２７４                          円形状の切欠部
２６５，２７５                          切線
α                                      筒状紙体の重ね部
β                                      折曲部
Ａ，Ｂ                                  領域
【図１】
2006158683.tif 000003
【図２】
2006158683.tif 000004
【図３】
2006158683.tif 000005
【図４】
2006158683.tif 000006
【図５】
2006158683.tif 000007
【図６】
2006158683.tif 000008
【図７】
2006158683.tif 000009